(57)【要約】【課題】  簡単な構造で、カーペットが敷かれた床面と什器類との間に設置することにより、地震などで什器類が振動する際の、床との離間を極力抑制し得る離間防止マットと、それを用いた振動吸収装置を提供する【解決手段】  一方が平滑な面を有し、他方に不定形粒子４を一体に接合した板状の部材２を有する離間防止マット１を調製し、什器類の床面側には配した粘弾性体からなる振動吸収体８側に、平滑な面を向け、床面側に不定形粒子４を接合した側を向けて配置する。前記板状部材の曲げ弾性率は、１００ＭＰａ以上であり、前記粒子の平均粒径は、３００μｍ以上であり、前記粒子のモース硬度は３以上とするが、不定形粒子の層として、研磨布紙を用いることも可能である【選択図】図１
2014198220.tif 000002
【特許請求の範囲】
【請求項１】
板状の部材を有し、振動吸収体をカーペットに設置した際に、前記震動吸収体とカーペットの離間を防止するための、離間防止マットであって、前記板状部材の前記振動吸収体に接する側の面は平滑であり、前記板状部材のカーペットに接する側の面には、不定形状の粒子が一体に配されてなることを特徴とする離間防止マット。
【請求項２】
前記板状部材の曲げ弾性率は１００ＭＰａ以上であることを特徴とする、請求項１に記載の離間防止マット。
【請求項３】
前記粒子の平均粒径は、３００μｍ以上であることを特徴とする、請求項１または請求項２に記載の離間防止マット。
【請求項４】
前記粒子のモース硬度は、３以上であることを特徴とする、請求項１ないし請求項３のいずれかに記載の離間防止マット。
【請求項５】
（１）キャスターと、
（２）前記キャスターを移動方向に水平面内で旋回させるための旋回軸に、取り付け高さが調整可能な状態で取り付けられ、前記キャスターよりも高く形成されてなる鉛直方向の立ち上がり部と、前記立ち上がり部の下端に前記キャスターを囲む状態で設けられ、床面に対向する水平面を形成するフランジ部材を具備してなるキャスターカバーと、
（３）少なくとも一部または全部が粘弾性体からなり、前記キャスターカバーの前記フランジ部の水平面に当接する震動吸収体と、
（４）前記振動吸収体材の下面に配されてなる、請求項１ないし請求項４のいずれかに記載の離間防止マットと、
を有することを特徴とする振動吸収装置。
【発明の詳細な説明】
【技術分野】
【０００１】  本発明は、地震などの振動を吸収し、事務機や各種キャビネットなどの什器を保護するために、床面重機との間に設置するマットと、それを用いた振動吸収装置に関わり、特にカーペットまたはタイルカーペットが敷設された床面に有用なものに関わるものである。ここで、カーペットとは床に敷くための織物をいう。
【背景技術】
【０００２】  我が国は、いわば地震大国であり、度々地震に襲われ、大きな被害を受けている。これに対処するため、近年の建築物は、耐震性を十分に考慮した設計となっていて、これまでに経験した中で最も揺れの強い地震が発生しても、倒壊することは少なくなっている。【０００３】  しかしながら、建築物の倒壊を防止できても、屋内において、振動で倒れた家具類の下敷きになったり、移動した家具類の間に挟まれたりして、被害を受けるケースが生じている。この対策としては、背の高い棚類は、適当な手段を用いて背後の壁に固定するなどの方法が推奨されている。【０００４】  また一方で、特に高層建築内のオフィスにおいては、広いフロアに、書類を収容したキャビネットや、複合事務機器、事務机など、比較的重い什器が所狭しと配置されている場合が多く、それらを壁などに固定することは困難である。しかも、オフィス内では、業務の都合上、レイアウトを変更することがあり、この問題の解決を一層困難にしている。【０００５】  これに対処するために、比較的移動が容易で、什器類と床面の間に設置することで振動を吸収し得る器具類が要望されていて、本発明者らは、粘弾性からなる振動吸収体を具備したキャスターを特許出願している。ところが、近年のオフィスにおいては、床がカーペットやタイルカーペット敷きとなっていることがある。カーペットは、パイル糸をループ状に編み込んだ構造であることが多く、粘弾性体とカーペットの間が滑らないようにするには困難で、離間が生じやすいという問題がある。【０００６】  このような問題に対処するためね、例えば特許文献１には、キャスターの外周とキャスターが当接する面にマジックテープ（登録商標）のような面ファスナーを装着して、キャスターが転がらないようにできることが開示されている。しかし、ここに開示されている技術では、前記の粘弾性体の離間には適用できない。【０００７】  また、特許文献２には滑り防止のため、基布裏面にゴム層が一体化されているタフッテッドカーペットの該ゴム層側に面ファスナーＡが一体化されたタフッテッドカーペットと、面ファスナーＢが一体化されたスチレン系エラストマーシートとが、該面ファスナーＡと面ファスナーＢが係合することによりタフテッドカーペット裏面にスチレン系エラストマーシートが固定されている防滑性カーペットが開示されている。しかし、これも前記の問題には、必ずしも十分に対処することはできない。【０００８】  さらに特許文献３には、膨頭型の係合素子を、他方のシート状物の繊維表面側内のルーズなループまたはパイル間に入るように押し当てることによる、シート状物の連結方法が開示され、特許文献４には、着脱が滑らかなＴ型と逆Ｌ型の係合素子を利用した、ファスナー部材が提案されている。しかし、これら方法も前記の問題には十分に対処することは困難である。
【先行技術文献】
【特許文献】
【０００９】
【特許文献１】  特開２０１１−１５８０８０号公報
【特許文献２】  特開２０１２−１１０５７１号公報
【特許文献３】  特開平０６−１２３０６１号公報
【特許文献４】  特開平０６−１３３８０８号公報
【発明の概要】
【発明が解決しようとする課題】
【００１０】  従って。本発明の課題は、簡単な構造で、カーペットが敷かれた床面と什器類との間に設置することにより、地震などで什器類が振動する際の、床との離間を極力抑制し得る離間防止マットと、それを用いた振動吸収装置を提供することにある。
【課題を解決するための手段】
【００１１】  本発明は、前記の課題に鑑み、粘弾性体は平滑な面に密着して、滑りが生じ難いことと、カーペットが敷かれた床は、例えば細かい砕石などで構成される凹凸面を圧着しても、傷が付くことなく、しかも圧着面が滑り難いことに着目して本発明をなしたものである。【００１２】  即ち、本発明は、板状の部材を有し、振動吸収体をカーペットに設置した際に、前記振動吸収体とカーペットの離間を防止するための、離間防止マットであって、前記板状部材の前記振動吸収体に接する側の面は平滑であり、前記板状部材のカーペットに接する側の面には、不定形状の粒子が一体に配されてなることを特徴とする離間防止マットである。【００１３】  また、本発明は、前記板状部材の曲げ弾性率が１００ＭＰａ以上であり、前記粒子の平均粒径が、３００μｍ以上であり、前記粒子のモース硬度が３以上であることを特徴とする、前記の離間防止マットである。【００１４】  また、本発明は、
（１）キャスターと、
（２）前記キャスターを移動方向に水平面内で旋回させるための旋回軸に、取り付け高さが調整可能な状態で取り付けられ、前記キャスターよりも高く形成されてなる鉛直方向の立ち上がり部と、前記立ち上がり部の下端に前記キャスターを囲む状態で設けられ、床面に対向する水平面を形成するフランジ部材を具備してなるキャスターカバーと、
（３）少なくとも一部または全部が粘弾性体からなり、前記キャスターカバーの前記フランジ部の水平面に当接する振動吸収体と、
（４）前記振動吸収体材の下面に配されてなる、前記の離間防止マットと、
を有することを特徴とする振動吸収装置である。
【発明の効果】
【００１５】  本発明による離間防止マットは、前記のように、粘弾性体からなる振動吸収体側が、平滑な面を有し、カーペット側には不定形の粒子が配されているので、地震などの振動で、載置された什器類が振動で動いたり、カーペットが敷かれた床と離間したりすることを極めて少なくすることができる。【００１６】  本発明の離間防止マットに用いる板状部材の弾性率を、１００ＭＰａ以上としたのは、ある程度の機械的強度を具備した材料を用いないと、重量の大きな什器類の載置に耐えられないからである。【００１６】  また、カーペット側に、不定形の粒子を配するには、離間防止マットを構成する板状部材のカーペット側の面に、粗めの研磨布紙を貼りつけてもよいが、市販されている研磨布紙の砥粒は、目的が研磨であるため、カーボランダム、アルミナ、ジルコニアなどの硬度が大きな材料であり、本発明の不定形の粒子としては、モース硬度が３である、ガラス程度の硬度があれば、十分である。従って前記以外の安価な材料を使用することも可能である。
【図面の簡単な説明】
【００１７】
【図１】  図１（ａ）は本発明の離間防止マットを、カーペットと震動吸収体との間に配置した一例を示す図。
【図２】  本発明に用いる振動吸収体を有するキャスターの一例を示す図、図２（ａ）は正面の断面図、図２（ｂ）はキャスターを省略した底面図。
【発明を実施するための形態】
【００１８】  次に、本発明の実施の形態について説明する。
【００１９】  図１は、本発明の離間防止マットを、カーペットと振動吸収体との間に配置した一例を示す図である。図１において、１は離間防止マット。２は板状部材、３は接合層、４は不定形粒子、５はカーペットを構成するパイル糸のループ、６はカーペット基材、７はキャスター、８は振動吸収体である。
【００２０】  また、図２は、本発明に用いる振動吸収体を有するキャスターの一例を示す図で、図２（ａ）は正面の断面図、図２（ｂ）はキャスターを省略した底面図である。図２において７ａは什器類を固定した状態のキャスター、７ｂは什器類を移動し得る状態のキャスター、９はキャスターカバー、１０はキャスターの立ち上がり部、１１はフランジ部、１２は補強リブ、１３はキャスターの旋回軸、１４はキャスターカバーの高さ調整用雄ネジ、１５は固定ナット、１６はキャスターカバーの高さ調整用雌ネジである。
【００２１】  図１及び図２に示したように、本発明の離間防止マット１は、その板状部材２が、キャスターカバー９のフランジ部１１の下面に接合された振動吸収体８に密着し、振動吸収体８に対しては、図における左右の方向には極めて動き難くなっている。また、板状部材２の下の面には、接合層３を介して床面に敷かれたカーペットのパイル糸のループ５に、引っ掛かるように、不定形粒子４が接合されているので、板状部材２とカーペットの間のずれは極めて起こり難くなっている。なお、不定形粒子４の層には、より具体的には、＃５０程度の研磨布紙を用いることができる。
【００２２】  振動吸収体８は、粘弾性体であり、自己粘着性が強く、反発弾性が強く、そして、圧縮永久歪みが小さい材質によって構成され、例えば耐震マット素材などにも用いられるウレタン系エラストマー、スチレン系エラストマー、シリコンゲル、ウレタンゲルなどを素材とし、用途によって好適なものが選択され、その粘着力も適宜設定可能である。粘弾性体はアスカーＣ２０〜Ｃ６０程度の硬度のものが使用可能であり、床面への密着性を高めるために、望ましくは、アスカーＣ２０〜Ｃ２４が用いられる。また、粘弾性体は、損失正接ｔａｎδが大きいほど、振動の吸収効果が高く、かつ反発弾性率が小さくなる。自己密着性を備え、振動を吸収するためには、反発弾性率０〜４０程度が好ましい。
【００２３】  振動吸収体８は、図２では８枚貼り付けた例を示しているが、フランジ部１１に、最大１２枚貼着できる大きさに設計され、その寸法例として、フランジ１１の半径方向幅（外周半径と内周半径の差）が２４ｍｍ程度とすると、台形の上底３４ｍｍ、下底４３ｍｍ、高さ２０ｍｍ程度である。そして、この形状・寸法を標準形状として、荷重の大きさに応じて、フランジ１１に取り付けられる振動吸収体８の枚数を調節する。
【００２４】  キャスターカバー９の立ち上がり部１０は、高さがキャスター７よりも大きく設計され、高さ調整用雄ネジ１４と高さ調整用雌ネジ１６の操作により、一定範囲で上下動が可能であり、移動する際は、キャッスターを図２（ａ）の符号７ｂに示した位置に固定し、什器の設置の際には、キャスターを図２（ｂ）の符号７ａに示した位置に固定することができる。
【００２５】  以上に説明したように、本発明によれば、カーペットやタイルカーペットが敷設された床面に、什器を設置する際に有用で、しかも移動も容易な離間防止マットとそれを用いた振動吸収装置を提供することができる。これによって防災対策向上に資するところは大きく、産業上有益である。
【００２６】  なお、本発明は、前記実施の形態に限定されるものではなく、例えば、キャスターカバーの形状を、実施の形態に示したような略円筒形ではなく、フランジ部を具備したコ字形状とするような、本発明の分野における通常の知識を有する者であれば想到し得る、各種変形、修正を含む、本発明の要旨を逸脱しない範囲の設計変更があっても、本発明に含まれることは勿論である。
【符号の説明】
【００２７】１  ・・・離間防止マット    ２  ・・・板状部材    ３  ・・・接合層
４  ・・・不定形粒子    ５  ・・・パイル糸のループ    ６  ・・・カーペット基材
７，７ａ，７ｂ  ・・・キャスター    ８  ・・・振動吸収体
９  ・・・キャスターカバー    １０  ・・・立ち上がり部    １１  ・・・フランジ部
１２  ・・・補強リブ    １３  ・・・旋回軸    １４  ・・・高さ調整用雄ネジ
１５  ・・・固定ナット    １６  ・・・高さ調整用雌ネジ
【図１】
2014198220.tif 000003
【図２】
2014198220.tif 000004